(57)【要約】【課題】商用電源や太陽電池を不要とする道路用照明システムであって、暗部や夜間においても照明を行うことができる道路用照明システムを提供すること。【解決手段】高速陸橋１に固定される発電街路灯１０であり、表示部を支持する中空筒状の街路灯本体と、この街路灯本体の内部に配置された発電ユニットを備える。発電ユニットは、高速陸橋１の振動によって表示部の電力を発電する圧電素子を有する。例えば、発電ユニットは、街路灯本体の内壁に対して直交状する向きで固定された可撓性を有する振動板を備え、この振動板の側面に圧電素子を固定する。【選択図】図１
2010015705.tif 000002
【特許請求の範囲】
【請求項１】
道路設備に固定される照明装置と発電ユニットを備え、
前記発電ユニットは、前記道路設備の振動によって前記照明装置の電力を発電する圧電素子を有すること、
を特徴とする道路用照明システム。
【請求項２】
前記照明装置は、照明部と、当該照明部を支持する中空筒状の照明装置本体を備え、
前記発電ユニットを、前記照明装置本体の内部に配置したこと、
を特徴とする請求項１に記載の道路用照明システム。
【請求項３】
前記道路設備は、陸橋であり、
前記発電ユニットを、前記陸橋又は当該陸橋の付帯設備に固定したユニットケースの内部に配置したこと、
を特徴とする請求項１に記載の道路用照明システム。
【請求項４】
前記発電ユニットは、前記道路設備の振動に伴って振動するものであって、可撓性を有する振動板を備え、
前記振動板の側面に前記圧電素子を固定したこと、
を特徴とする請求項１から３のいずれか一項に記載の道路用照明システム。
【発明の詳細な説明】
【技術分野】
【０００１】
本発明は、道路の路肩等に設置されて路面を照らすための道路用照明システムに関し、特に電源構造に特徴を有する道路用照明システムに関する。
【背景技術】
【０００２】
従来、街路灯で照明を行うための電源としては、商用電源が最も一般的であるが、災害によって商用電源が遮断された場合や環境負荷の低減を考慮して、太陽電池を電源とする街路灯も実用化されている。例えば、特許文献１には、ケーシング本体に太陽電池を定着し、その太陽電池によって発電した電力を蓄電池にて蓄電し、この蓄電池からの電力により発光ダイオードを点灯させるソーラー電源街路灯が開示されている。
【０００３】
【特許文献１】特開２００２−０１５６１０号公報
【発明の開示】
【発明が解決しようとする課題】
【０００４】
しかしながら、太陽電池を用いた街路灯は、太陽光が到達可能な位置でしか利用できず、トンネル内の如き暗部には適さないため、設置箇所が限定されてしまう。また、街路灯が点灯するのは太陽光が得られない夜間であることから、昼間に太陽電池にて発電された電力を夜間まで蓄電するためのバッテリーが必要になり、街路灯が大型化すると共にその製造コストが増大する。
【０００５】
本発明は、上記に鑑みてなされたものであって、商用電源や太陽電池を不要とする道路用照明システムであって、暗部や夜間においても照明を行うことができる道路用照明システムを提供することを目的とする。
【課題を解決するための手段】
【０００６】
このような課題を解決するため、請求項１に記載の道路用照明システムは、道路設備に固定される照明装置と発電ユニットを備え、前記発電ユニットは、前記道路設備の振動によって前記照明装置の電力を発電する圧電素子を有することを特徴とする。
【０００７】
請求項２に記載の道路用照明システムは、請求項１に記載の道路用照明システムにおいて、前記照明装置は、照明部と、当該照明部を支持する中空筒状の照明装置本体を備え、前記発電ユニットを、前記照明装置本体の内部に配置したことを特徴とする。
【０００８】
請求項３に記載の道路用照明システムは、請求項１に記載の道路用照明システムにおいて、前記道路設備は、陸橋であり、前記発電ユニットを、前記陸橋又は当該陸橋の付帯設備に固定したユニットケースの内部に配置したことを特徴とする。
【０００９】
請求項４に記載の道路用照明システムは、請求項１から３のいずれか一項に記載の道路用照明システムにおいて、前記発電ユニットは、前記道路設備の振動に伴って振動するものであって、可撓性を有する振動板を備え、前記振動板の側面に前記圧電素子を固定したことを特徴とする。
【発明の効果】
【００１０】
請求項１に記載の本発明によれば、車両の走行等によって生じた道路設備の振動に伴って圧電素子が振動して変形することで、圧電素子から放電された電力を利用して照明装置を点灯させることができる。このため、商用電源や太陽電池を用いることなく、暗部や夜間においても照明を行うことができる。
【００１１】
請求項２に記載の本発明によれば、発電ユニットを照明装置本体の内部に配置することで、電気系統の耐久性や耐水性を高めることが容易である。
【００１２】
請求項３に記載の本発明によれば、車両の走行等によって振動が比較的生じ易い陸橋又は当該陸橋の付帯設備に発電ユニットを配置したことにより、圧電素子の変形を促進でき、発電効率を高めることができる。また、発電ユニットをユニットケースの内部に配置することで、電気系統の耐久性や耐水性を高めることが容易である。
【００１３】
請求項４に記載の本発明によれば、振動板を介して圧電素子を変形させることで、圧電素子の変形を増幅でき、発電効率を高めることができる。
【発明を実施するための最良の形態】
【００１４】
以下に、添付図面を参照して、この発明に係る道路用照明システムの一実施の形態を詳細に説明する。図１は、道路用照明システムを備えた高速陸橋の斜視図である。この高速陸橋１は、高速道路の一部を構成する陸橋であって、図示しない橋脚にて支持された路面２と、この路面２の両側方に立設された遮音壁３とを備えて構成されており、この遮音壁３には複数の発電街路灯１０が間隔を隔てて固定されている。また、高速陸橋１の底部には、複数の発電装置３０が間隔を隔てて固定されている。
【００１５】
最初に、発電街路灯１０について説明する。図２は発電街路灯１０の側面図、図３は街路灯本体１１の拡大縦断面図である。図２に示すように、発電街路灯１０は、街路灯本体１１と表示部１２を備えて構成されている。ここで、発電街路灯１０、街路灯本体１１、表示部１２は、それぞれ、特許請求の範囲における照明装置、照明装置本体、照明部に対応する。街路灯本体１１は、表示部１２を支持する支持手段であり、金属又は樹脂にて中空長筒状に形成されており、その下端部は図示しない公知の取り付け構造によって遮音壁３に取り付けられると共に、その上端部には表示部１２が取り付けられている。図３に示すように、街路灯本体１１の内部には、複数の発電ユニット２０が設けられているが、この発電ユニット２０の構造については後述する。表示部１２は、白熱電球、蛍光灯、あるいはＬＥＤ（Ｌｉｑｕｉｄ  Ｅｍｉｔｔｉｎｇ  Ｄｉｏｄｅ）の如き図示しない光源を内蔵し、この光源を発電ユニット２０にて発電された電力を用いて点灯させることで、路面２を照明することができる。
【００１６】
次に、発電装置３０について説明する。図４は発電装置３０の拡大縦断面図である。図４に示すように、発電装置３０は、ユニットケース３１の内部に、発電街路灯１０の内部に設けたものと同様の複数の発電ユニット２０を備えて構成されている。ユニットケース３１は、発電装置３０を高速陸橋１に取り付けるための取付手段であり、金属又は樹脂にて中空箱状に形成されており、図示しない公知の取り付け構造によって高速陸橋１の底面に取り付けられる。
【００１７】
次に、発電ユニット２０について説明する。図５は発電ユニット２０における振動板の変形前の側面図、図６は発電ユニット２０における振動板の変形時の側面図である。発電ユニット２０は、振動板２１及び一対の圧電素子２２を備えて構成されている。振動板２１は、圧電素子２２に応力を加える支持体であると共に、圧電素子２２の割れ強度を補強する補強材を兼ねるものであり、可撓性と耐久性を有する金属板より形成される。この振動板２１に用いる具体的な材料は任意であるが、例えば、ステンレスの薄板を用いることができる。この振動板２１の平面形状は任意であるが、外力に対して均等に変形することが好ましく、本実施の形態においては振動板２１の平面形状を長方形状としている。この振動板２１は、街路灯本体１１又はユニットケース３１の内壁に直交する向きで、当該内壁に対して溶着等にて固定されている。
【００１８】
一対の圧電素子２２は、表示部１２の電力を発電するものであって、圧力により変形することで電気を生じる素子であり、例えば、チタン酸バリウム、ジルコニア等の圧電セラミックス、リチウムタンタレート（ＬｉＴａＯ３）等の圧電単結晶からなる。各圧電素子２２は、板状であって、その平面形状を振動板２１よりも短い長方形状としており、振動板２１の両面において、当該振動板２１に対して接着剤等にて固定されている。振動板２１に対する圧電素子２２の平面的な配置位置は任意であるが、振動板２１の平面中心位置における変形量が最も大きくなることから、当該平面中心位置に圧電素子２２を配置することが好ましく、本実施の形態においては振動板２１と同心となる位置に圧電素子２２を配置している。なお、このように振動板２１に圧電素子２２を固定することで、当該圧電素子２２も、街路灯本体１１又はユニットケース３１の内壁に直交する向きに配置されることになる。
【００１９】
図示は省略するが、圧電素子２２は、一方の面にプラス端子、他方の面にマイナス端子を有し、プラス端子と結線されたプラスリード線と、マイナス端子と結線されたマイナスリード線が引き出されている。そして、発電街路灯１０に関しては、これらリード線が街路灯本体１１の内部を介して表示部１２に接続されることで、当該表示部１２に対して電力が供給される。あるいは、発電装置３０に関しては、ユニットケース３１からこれらリード線が引き出されて表示部１２に接続されることで、当該表示部１２に対して電力が供給される。ただし、圧電素子２２と表示部１２との相互間に公知のブリッジ回路等の各種電気素子を配置してもよい。なお、１つの表示部１２に対しては、発電街路灯１０の内部の圧電素子２２と、発電装置３０の内部の圧電素子２２との両方を接続してもよく、あるいは、いずれか一方のみを接続してもよい。
【００２０】
このような道路照明システムによれば、路面２を走行する車両の振動が遮音壁３を介して街路灯本体１１に伝達され、この街路灯本体１１の振動が振動板２１に伝達されることで、この振動板２１が変形する。あるいは、路面２を走行する車両の振動が高速陸橋１を介して発電装置３０のユニットケース３１に伝達され、このユニットケース３１の振動が振動板２１に伝達されることで、この振動板２１が変形する。そして、この振動板２１の変形に伴って圧電素子２２が変形することで、圧電素子２２から放電された電力して表示部１２を点灯させることができる。このため、商用電源や太陽電池を用いることなく、暗部や夜間においても照明を行うことができる。特に、振動板２１を介して圧電素子２２を変形させることで、圧電素子２２の変形を増幅でき、発電効率を高めることができる。また、発電ユニット２０、プラスリード線、及びマイナスリード線を含む電源系統の全部又は少なくとも一部を街路灯本体１１やユニットケース３１の内部に配置できるので、耐久性や耐水性を高めることが容易である。
【００２１】
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００２２】
発電街路灯１０は、高速陸橋１の遮音壁３に限らず、振動が生じ得る任意の場所に設置することができ、一般道路の路肩に設置したり、道路標識の支柱に設置してもよい。
【００２３】
発電装置３０は、高速陸橋１に直接固定する場合の他、この高速陸橋１の付帯設備に固定してもよい。このような付帯設備としては、例えば、高速陸橋１の側部や下方に施設された点検用通路、道路の高架下の道路照明、道路の上方や側方に設置された各種の道路標識（内照大型道路標識や内照反射式道路標識等）、道路の上方や側方に設置された各種の交通情報提供装置（街路情報板、藻字情報板、あるいは図形情報板等）、トンネル内の換気施設（ジェットファン）、有料道路の料金所に設置された料金所ブースの空調施設を挙げることができる。特に、点検用通路のように道路の振動を増大させる設備や、換気施設のようにそれ自体が振動を発生させる設備に発電装置３０を取り付けることで、発電効率を高めることが可能になる。
【００２４】
発電ユニット２０は、商用電源や蓄電池等と併せて回路構成することで、電流の蓄放電を行う構成としてもよく、あるいは、コンデンサの如き平滑素子にて平滑化を行う等、公知の電気回路を適用することができる。また、発電ユニット２０を街路灯本体１１又はユニットケース３１の内壁ではなく外壁に固定してもよく、あるいは振動板２１を省略して圧電素子２２のみを街路灯本体１１又はユニットケース３１の内壁に直接固定してもよい。
【産業上の利用可能性】
【００２５】
この発明に係る道路照明システムは、路面を照明する照明システムとして利用でき、特に外部から加えられた力を電気に変換して電源とすることでができるため、従来電源として利用していた商用電力や太陽電池を省略することに有用である。
【図面の簡単な説明】
【００２６】
【図１】本発明の実施の形態に係る道路照明システムを備えた高速陸橋の斜視図である。
【図２】発電街路灯の側面図である。
【図３】街路灯本体の拡大縦断面図である。
【図４】発電装置の拡大縦断面図である。
【図５】発電ユニットにおける振動板の変形前の側面図である。
【図６】発電ユニットにおける振動板の変形時の側面図である。
【符号の説明】
【００２７】
１  高速陸橋
２  路面
３  遮音壁
１０  発電街路灯
１１  街路灯本体
１２  表示部
２０  発電ユニット
２１  振動板
２２  圧電素子
３０  発電装置
３１  ユニットケース
【図１】
2010015705.tif 000003
【図２】
2010015705.tif 000004
【図３】
2010015705.tif 000005
【図４】
2010015705.tif 000006
【図５】
2010015705.tif 000007
【図６】
2010015705.tif 000008